(57)【要約】【課題】廉価に製作できて従来の郵送料の範囲内でアナグリフ用メガネを同時に送ることができるポストカードを提供すること。【解決手段】ハガキ１０の裏面１１に、ミシン目１４を間にしてメガネ部１２と空白部１３を形成する。メガネ部１２には一対の覗き窓１２１を形成する。右側の覗き窓１２１Ｒに、青色のフィルム１５Ｂを、覗き窓１２１Ｒを覆うように貼付し、左側の覗き窓１２１Ｌに、赤色のフィルム１５Ｒを、覗き窓１２１Ｌを覆うように貼付している。一対の覗き窓１２１Ｒ、１２１Ｌ間に端面から延設された鼻係止用孔１２２を形成する。ミシン目１４を切り取ることにより、メガネ部１２を空白部１３から分離し、別に編集したアナグリフ写真を、一対の覗き窓１２１を両眼で覗くことによって鑑賞できるようにする。【選択図】図１
0003140525.tif 000002
【実用新案登録請求の範囲】
【請求項１】
紙面の一部に、両眼で覗くことができる覗き窓が形成され、前記覗き窓にはそれぞれ別色のアナグリフ用フィルムが貼付されていることを特徴とするポストカード。
【請求項２】
両眼で覗くことができる覗き窓が形成された台紙と、前記覗き窓に配置された別色からなる一対のアナグリフ用フィルムと、を備えてアナグリフ用メガネが形成され、前記アナグリフ用メガネが紙面の一部に貼付されていることを特徴とするポストカード。
【請求項３】
紙面の一部に、両眼で覗くことができる覗き窓が形成され、前記覗き窓にはそれぞれ別色のアナグリフ用フィルムが一対貼付されるとともに、前記覗き窓が前記紙面側に折り返し可能に形成されていることを特徴とするポストカード。
【請求項４】
紙面の全体に剥離可能な保護シートが貼付されて少なくとも二層に形成されたポストカードであって、
両眼で覗くことができる覗き窓が形成された台紙と、前記覗き窓に配置された別色からなる一対のアナグリフ用フィルムと、を備えてアナグリフ用メガネが形成され、
前記紙面と前記保護シートとの間に、前記アナグリフ用メガネが封入されていることを特徴とするポストカード。
【請求項５】
前記覗き窓がそれぞれ離隔した位置に一対形成されていることを特徴とする請求項１，２，３又は４のいずれかに記載のポストカード。
【請求項６】
一対の前記覗き窓がそれぞれ多数の小孔からなることを特徴とする請求項１，２，３又は４のいずれかに記載のポストカード。
【請求項７】
一対の前記覗き窓間には、鼻に掛けるための鼻掛止用孔が形成されていることを特徴とする請求項１，２，３又は４のいずれかに記載のポストカード。
【請求項８】
前記覗き窓は、紙面の端部に配置されるとともに、残りの紙面との間にミシン目あるいは切取線が形成されていることを特徴とする請求項１記載のポストカード。
【請求項９】
紙面の一部に、両眼で覗くことができる覗き窓が形成され、前記覗き窓にはそれぞれ別色のアナグリフ用フィルムが貼付され、
前記覗き窓がそれぞれ離隔した位置に一対形成され、
一対の前記覗き窓は、紙面の端部に配置されるとともに、残りの紙面との間にミシン目あるいは切取線が形成され、
一対の前記覗き窓間には、鼻に掛けるための鼻掛止用孔が形成されていることを特徴とするポストカード。
【請求項１０】
紙面の一部に、両眼で覗くことができる覗き窓を象ったミシン目あるいは切り取り線が形成され、前記覗き窓にはそれぞれ別色のアナグリフ用フィルムが貼付されていることを特徴とするポストカード。
【請求項１１】
前記覗き窓が、離隔した位置に一対形成されていることを特徴とする請求項１０記載のポストカード。
【請求項１２】
前記覗き窓が、連接した１個の孔に形成されていることを特徴とする請求項１０記載のポストカード。
【請求項１３】
前記覗き窓の中央部には、鼻にかけるための鼻係止用孔を象ったミシン目あるいは切り取り線が形成されていることを特徴とする請求項１０，１１又は１２のいずれかに記載のポストカード。
【考案の詳細な説明】
【技術分野】
【０００１】
本考案は、ハガキやダイレクトメール等のポストカードに関する。
【背景技術】
【０００２】
近年、年賀状や暑中見舞い等のハガキあるいはダイレクトメールを送る際、単に挨拶文を書いて送るだけでは物足りず、親しみを込めた内容にするために新たな情報を加えた内容での様々な試みがなされている。例えば、ハガキの裏面に、家族写真や旅行写真等を印刷したり、パソコンで各種のイメージ像を編集したりして各種の工夫がなされている。
【０００３】
一方、特許文献１では、メガネ付きクリアファイルが開示されている。これによると、図１０に示すように、左辺５１が山折りに形成されて底辺５２が閉じられているクリアケース５０の右辺５３にクリアケース５０から突出してアナグリフ用メガネ５５が形成されている。アナグリフ用メガネ５５はクリアケース５０の周縁部にミシン目５６を形成して取り付けられている。アナグリフ用メガネ５５は、アナグリフ、つまり左右の眼の画像それぞれを赤と青(又は緑)の２色で合成した画像を、右目用が青色（シアン）のフィルムで左目用が赤色のフィルムを貼付して覗くことができるようにしたものであり、アナグリフ用メガネ５５でアナグリフ写真を覗くことによって、立体的な画像として見ることができるものである。
【０００４】
そして、クリアファイル５０内にアナグリフ写真を挿入しておくことによって、クリアファイル５０からアナグリフ用メガネ５５を切り取って立体映像を鑑賞することができることとなっていた。
【０００５】
アナグリフを使用した立体表示法は、従来からよく知られていることであり、デジタルカメラを使用していつでも行うことができることとなっていた。しかし、実際にはアナグリフ写真はできても、アナグリフ用メガネがなかったり、アナグリフ用メガネを一旦は所有していても紛失したり保管状態の不明等で使用できなかったりすることが多かった。そのため有効に使用できない状況にあった。
【０００６】
また、年賀状や暑中見舞い等のハガキの場合、差出人と宛先人とはほとんど毎年同じであることから、差出人及び裏面の内容を確認するとそのまま保管したままになっていた。そのため、従来の年賀状や暑中見舞いのハガキでは、マンネリ化していることから、アナグリフ用メガネを装着することによって、新たな付加価値のあるはがきが検討されることとなってきた。
【特許文献１】特開２００７−２２２０２７公報
【考案の開示】
【考案が解決しようとする課題】
【０００７】
アナグリフ用メガネを装着してハガキとして使用する場合、使用者が廉価に購入できるようにするため、製作コストを廉価にすることが前提となっていた。また、ハガキの大きさが定形寸法の範囲を越える郵送料であれば、使用者が使用しにくいことから、アナグリフ用メガネを装着したハガキが通常通りの郵送料となることが望ましい。例えば、特許文献１を参考としてハガキの周縁部からアナグリフ用メガネを突出して取り付ければ、ハガキの定形寸法の範囲を超えることになり通常ハガキとして郵送することができない。また、アナグリフ用メガネを、例えば、ハガキと別に送るとすれば、封筒内に収納しなければならず、郵送料がかかるとともに年賀状や暑中見舞いとして送るのにふさわしくなかった。
【課題を解決するための手段】
【０００８】
本考案は、上述の課題を解決するものであり、廉価に製作して通常通りの郵送料で使用できるアナグリフ用メガネ付きのポストカードを提供することを目的とするものである。そのために本考案に係るポストカードは、以下のように形成するものである。すなわち、
請求項１記載の考案に係るポストカードでは、紙面の一部に、両眼で覗くことができる覗き窓が形成され、前記覗き窓にはそれぞれ別色のアナグリフ用フィルムが貼付されていることを特徴とするものである。
【０００９】
また、請求項２記載の考案に係るポストカードでは、両眼で覗くことができる覗き窓が形成された台紙と、前記覗き窓に配置された別色からなる一対のアナグリフ用フィルムと、を備えてアナグリフ用メガネが形成され、前記アナグリフ用メガネが紙面の一部に貼付されていることを特徴とするものである。
【００１０】
また、請求項３記載の考案に係るポストカードでは、紙面の一部に、両眼で覗くことができる覗き窓が形成され、前記覗き窓にはそれぞれ別色のアナグリフ用フィルムが一対貼付されるとともに、前記覗き窓が前記紙面側に折り返し可能に形成されていることを特徴とするものである。
【００１１】
さらに、請求項４記載の考案に係るポストカードでは、紙面の全体に剥離可能な保護シートが貼付されて少なくとも二層に形成されたポストカードであって、両眼で覗くことができる覗き窓が形成された台紙と、前記覗き窓に配置された別色からなる一対のアナグリフ用フィルムと、を備えてアナグリフ用メガネが形成され、前記紙面と前記保護シートとの間に、前記アナグリフ用メガネが封入されていることを特徴とするものである。
【００１２】
請求項５記載の考案では、前記覗き窓がそれぞれ離隔した位置に一対形成されていることを特徴としている。
【００１３】
請求項６記載の考案では、一対の前記覗き窓がそれぞれ多数の小孔からなることを特徴としている。
【００１４】
請求項７記載の考案では、一対の前記覗き窓間には、鼻に掛けるための鼻掛止用孔が形成されていることを特徴としている。
【００１５】
請求項８記載の考案では、前記覗き窓は、紙面の端部に配置されるとともに、残りの紙面との間にミシン目あるいは切取線が形成されていることを特徴としている。
【００１６】
請求項９記載の考案では、紙面の一部に、両眼で覗くことができる覗き窓が形成され、前記覗き窓にはそれぞれ別色のアナグリフ用フィルムが貼付され、前記覗き窓がそれぞれ離隔した位置に一対形成され、一対の前記覗き窓は、紙面の端部に配置されるとともに、残りの紙面との間にミシン目あるいは切取線が形成され、一対の前記覗き窓間には、鼻に掛けるための鼻掛止用孔が形成されていることを特徴とするものである。
【００１７】
請求項１０記載の考案によるポストカードでは、紙面の一部に、両眼で覗くことができる覗き窓を象ったミシン目あるいは切り取り線が形成され、前記覗き窓にはそれぞれ別色のアナグリフ用フィルムが貼付されていることを特徴とするものである。
【００１８】
請求項１１記載の考案では、請求項１０記載のポストカードであって、前記覗き窓が、離隔した位置に一対形成されていることを特徴としている。
【００１９】
請求項１２記載の考案では、請求項１０記載のポストカードであって、前記覗き窓が、連接した１個の孔に形成されていることを特徴としている。
【００２０】
請求項１３記載の考案では、請求項１０乃至１２記載のポストカードであって、  前記覗き窓の中央部には、鼻にかけるための鼻係止用孔を象ったミシン目あるいは切り取り線が形成されていることを特徴としている。
【考案の効果】
【００２１】
本考案では、１枚のポストカードの一端に、覗き窓が形成され、覗き窓には二色（例えば、青色と赤色）のフィルムが貼付されている。覗き窓は両眼で覗くことができるように、離隔した位置に一対配置されているか、又は連接した窓として１箇所に配置されている。そして離隔する位置にある一対の覗き窓間あるいは連接した覗き窓の中間部に鼻掛止用孔を形成することによって、覗き窓と鼻係止用孔の部位でアナグリフ用メガネとして形成することができる。このポストカードにおけるアナグリフ用メガネを形成する部位と空間部との間に、ミシン目を入れるか又は切取線を示す実線あるいは破線を記載することによって、アナグリフ用メガネをポストカードから切り離しやすいようにしている。
【００２２】
切り離されたメガネを使用して、例えばインターネットからダウンロードした別のアナグリフ写真あるいはデジタルカメラで編集したアナグリフ写真を見ることによって、立体画像を楽しく鑑賞することができる。しかも、アナグリフ用メガネは、１枚のポストカードに形成されていることから、通常のハガキと同様に扱うことができ、廉価な費用で製作することができる。また、貼付されているフィルムは、薄く形成されているため、定形内のハガキの重量を越えることはなく郵送料を通常範囲内で使用することができる。
【００２３】
したがって、本考案のポストカードは、アナグリフ用メガネをハガキにつけて送ることができることから、新たな付加価値を有するハガキとして使用することができる。
【００２４】
別の形態のポストカードによれば、覗き窓を形成した台紙と、覗き窓に貼付した別色で形成した一対のアナグリフ用フィルムとを備えてアナグリフ用メガネを形成し、前記アナグリフ用メガネをポストカードの一端に貼付することもできる。この場合、アナグリフ用メガネには、鼻係止用孔を形成してもよい。アナグリフ用メガネはポストカードの全体ではなく一部に貼付されるために、ハガキの規定された重さを越えることはない。また、台紙の裏面全体にわたって貼付することによって、郵送途中で台紙がポストカードから剥がれる虞はない。
【００２５】
また、別のポストカードによれば、それぞれ別色のアナグリフ用フィルムを、離隔した位置にある一対の覗き窓、あるいは両眼で覗くことができる１箇所の覗き窓の両端に貼付したメガネ部を、折り返し線に沿って折り返し可能に形成している。この場合、メガネ部を定形の大きさのポストカードの周辺から突出して形成することができる。そのため、定形寸法の大きさの範囲内で通常の挨拶文や編集したイメージ図を印刷あるいは書き込み、さらにその上でアナグリフ用メガネを追加して送付することができる。覗き窓の形成は、前述の形態と同様に行うことができることから、コストを高くすることはない。また、メガネ部を折り返して、例えば粘着テープで止めておけば、定形寸法内の郵送料で送ることができる。
【００２６】
さらに別の形態のポストカードによれば、保護シートが貼付されたポストカードであって、ポストカードと保護シートとの間に前述の台紙を封入することもできる。いずれの場合においても、アナグリフ用メガネを１枚のポストカードとともに送付できるから、ポストカードを受け取った受取人は、新たな付加価値を有するポストカードとして興味を示すこととなり、アナグリフ用メガネを使用してアナグリフ写真等を鑑賞するという一つの行為を行うことができる。そのため、年賀状や暑中見舞いに好適に使用することができる。
【００２７】
なお、覗き窓の形状は、両目で覗くことができれば、離隔した位置に各１個の窓でもよく、また、両眼で覗けるような連接した１個の大きな窓でもよい。さらに、１個の窓が多数の小孔で形成されていてもよい。
【００２８】
さらに別の形態のポストカードによれば、覗き窓は、ミシン目が形成された状態あるいは切り取り線が記載された状態であって、アナグリフ用メガネとして使用する際に、ミシン目の内部を取り除くかあるいは切り取り線から切り取って覗き窓を形成することもできる。
【考案を実施するための最良の形態】
【００２９】
次に、本考案によるポストカードの実施形態について図面に基づいて説明する。以下、ポストカードをハガキで説明する。
【００３０】
図１に示すように、第１の形態のハガキ１０は、裏面１１側の下部にアナグリフ用メガネ部（以下、メガネ部という）１２と空白部１３と区分けするようにミシン目１４が形成されている。メガネ部１２には左右一対の覗き窓１２１（１２１Ｒ、１２１Ｌ）が形成されている。一対の覗き窓１２１Ｒ、１２１Ｌ間は、人が両眼で覗ける位置に形成され、対向する覗き窓１２１Ｒ、１２１Ｌの角部は湾曲状に形成されている。一対の覗き窓１２１には２色のアナグリフ用フィルム(以下、単にフィルムという)１５が貼付されている。つまり、右側の覗き窓１２１Ｒには青色（シアン）のフィルム１５Ｂが貼付され、左側の覗き窓１２１Ｌには赤色のフィルム１５Ｒが貼付されている。フィルム１５は、覗き窓１２１と略同様の形状であり、覗き窓１２１の周縁にのりしろを含めて形成することにより、覗き窓１２１より大きく形成されている。
【００３１】
また、一対の覗き窓１２１Ｒ、１２１Ｌ間の中央部には、ハガキの端面から鼻掛止用孔１２２が１箇所に形成されている。
【００３２】
２色のフィルムは、赤色と緑色であってもよい。実施形態の鼻掛止用孔１２２は、湾曲状の山形に形成されるとともに人の鼻が入る程度の孔の大きさに形成されている。つまり上部１２２ａが半円周状に形成され下部１２２ｂが、上部１２２ａの下端から広がるように湾曲状に傾斜して形成されている。なお、鼻係止用孔１２２の形状はデザイン性を有する形状でもよく、またなくてもよい。
【００３３】
なお、覗き窓１２１の形状又はフィルム１５の形状は、上述の形態に限定するものではなく、例えば、図２(ａ)に示すように、覗き窓１２１Ｒ、１２１Ｌを真円に形成しフィルム１５Ｂ、１５Ｒも真円に形成してもよく、図２（ｂ）に示すように、多数の小孔１２１ａを真円状に配置して構成された覗き窓１２１Ｒ、１２１Ｌであってもよい。覗き窓１２１を覆うフィルム１５は、真円でもよく他の形状でもよい。
【００３４】
また、図２（ｃ）に示すように、覗き窓１２１Ｒ、１２１Ｌが星型であって、フィルム１５Ｂ、１５Ｒが真円であってもよい。フィルム１５Ｂ、１５Ｒは真円でなくても他の形状、例えば覗き窓１２１Ｒ、１２１Ｌと同様に星型であってもよい。さらに、図２(ｄ)に示すように、覗き窓１２１Ｒ、１２１Ｌが三日月形であって、フィルム１５Ｂ、１５Ｒが矩形であってもよい。フィルム１５Ｂ、１５Ｒは矩形でなくても他の形状、例えば覗き窓１２１Ｒ、１２１Ｌと同様に三日月型あるいは真円であってもよい。
【００３５】
いずれの場合も、覗き窓１２１やフィルム１５の形状が矩形や真円であれば製作費が廉価にできるとともにのりしろ部を広くすることができ、星型や三日月形あるいは他の形状であればデザイン性を向上することとなる。
【００３６】
なお、メガネ部１２と空白部１３とを区分けするミシン目１４は、実線あるいは破線を記載した切り取り線であってもよい。この場合は、鋏等でハガキからメガネ部１２を切り取ることになる。また、鼻掛止用孔１２２は、予めミシン目で外形部を形成して受取人が容易に分離できるようにしてもよい。
【００３７】
また、覗き窓１２１に貼付するフィルム１５は、それ自体でハガキ１０に貼付してもよく、また、１枚の別の透明フィルムをフィルム１５の上から重ねるようにしてはがき１０に貼付してもよい。
【００３８】
上記のハガキ１０は、青色のフィルム１５Ｂと赤色のフィルム１５Ｒが貼付されるとともにメガネ部２２がミシン目１４で切り取り可能に形成された状態で使用される。使用者は、空白部１３に挨拶文を印刷又は書き込むか、あるいはアナグリフ写真を印刷するかいずれかを適宜編集して宛先人に送ることになる。郵送料（切手代）は、通常通りであるから、負担にならず、安心して使用することができる。受取人（宛先人）は、メガネ部１２を分離して、例えば、ハガキ１０に印刷されたアナグリフ写真を鑑賞するか、あるいは、デジタルカメラ等で撮影した別のアナグリフ写真をメガネ部１２で鑑賞することができる。
【００３９】
第２の形態のハガキは、第１の形態のメガネ部１２を別体で形成してハガキの一部に貼付して形成するものである。つまり、図３〜４に示すように、ハガキ部１２と別体で形成されるメガネ部２２は、上辺を山折りにして二重となる二つ折りの台紙２３で形成されている。台紙２３には、一対の覗き窓２３１Ｒ、２３１Ｌが形成されている。二重になった台紙２３の間に挟持されるように、右側の覗き窓２３１Ｒには青色（シアン）のフィルム２４Ｂが貼付され、左側の覗き窓２３１Ｌには赤色のフィルム２４Ｒが貼付されている。青色のフィルム２４Ｂと赤色のフィルム２４Ｒは、いずれも二つ折りの台紙２３内にそれぞれ覗き窓２３１Ｒ、２３１Ｌを覆うように台紙２３上に貼付される。二つ折りの台紙２３は接着剤等で接着して接合されている。なお、この形態の場合、フィルム１５は、折り畳まれた台紙内に収納されるから、形状は廉価にできる矩形で充分である。
【００４０】
また、台紙２３には鼻掛止用孔２３２が形成されている。鼻係止用孔２３２は、第１の形態と同様、一対の覗き窓２３１Ｒ、２３１Ｌの間の中央部に台紙２３の一端から湾曲山形状に形成されている。
【００４１】
上記のように形成されたメガネ部２２を、図５に示すように、ハガキ２０の裏面２１の一端側に貼付する。郵便局で発行されている通常ハガキは、その大きさと重量が規定されており、規定範囲内では郵送料（切手代）が５０円と定められている。大きさは、長さ寸法が、１４〜１５．４ｃｍであり、幅寸法が９〜１０．７ｃｍである。また、重量は２〜６ｇである。前述の台紙２３をハガキ２０の幅と同様に形成することによってハガキ２０の幅寸法内に収まり、また、ハガキ２０の重量は約３ｇであり、台紙２３の大きさをハガキの１／３程度にすれば、台紙２３をハガキ２０に貼付しても所定内の重量には充分収まる。したがって、メガネ部２２をハガキ２０に貼付しても、使用する使用者は通常の切手代で年賀状あるいは暑中見舞いとして郵送することができる。受取人は、メガネ部１２をハガキ２０から剥がして使用するか、あるいはメガネ部１２を切り取って使用するかして、アナグリフ写真を鑑賞することになる。
【００４２】
次に第３の形態について説明する。図６〜７に示すように、第３の形態のハガキ３０は、定形寸法の範囲内で形成されたハガキ部３１とハガキ部３１から下方に突出して形成されるメガネ部３２とを備えている。ハガキ部３１とメガネ部３２との接続部位には、折り返し位置を示す折り返し線３３が形成されている。メガネ部３２には、第１の形態と同様、一対の覗き窓３２１（３２１Ｒ、３２１Ｌ）が形成され、一対の覗き窓３２１Ｒ、３２１Ｌ間には鼻掛止部３２２が形成されている。右側の覗き窓３２１Ｒには青色（シアン）のフィルム３４Ｂが貼着され、左側の覗き窓３２１Ｌには赤色のフィルム３４Ｒが貼付されている。なお、折り返し線３３の部位に第１の形態と同様ミシン目を形成してもよい。
【００４３】
この形態のハガキ３０では、全長が第１の形態のハガキ１０より長くなるものの、第１の形態と同様の印刷をすることになり、コストを高くすることなく製作することができる。また、送る際には、折り返し線３３で折り返して、例えば、ハガキ部３１と接着するかあるいは粘着テープを貼付することによって定形範囲の大きさのハガキと同様にすることができるから、郵送料を通常のものと同様に扱うことができる。
【００４４】
なおこの形態のハガキ３０では、折り返しして通常の定形範囲の大きさで郵送できるため、メガネ部３２をハガキ部３１の下辺より突出するのではなく、左右側辺あるいは上片より突出してもよい。
【００４５】
第４の形態のハガキ４０は、図８に示すように、保護シート貼付ハガキであって、ハガキ部４１に保護シート部４２が貼付されている。ハガキ部４１と保護シート部４２との間に第２の形態で示したメガネ部２２が封入されている。この形態のハガキ４０の場合、保護シート部４２は、一方の端部をハガキ部４１に折り畳み可能に固着して３辺を剥離可能にしてもよい。また、保護シート部４２を非透明の材料を使用すれば保護シート部４２を剥がしたときに、アナグリフ用メガネが封入されていることが確認できてその感激を大にすることができ、また透明の材料を使用すれば、アナグリフ用メガネが封入されていることが一目でわかるから、中身を見ずに保管してしまうことなく即座に保護シート部４２を剥がして使用することができる。
【００４６】
上述のように、各実施形態のハガキでは、アナグリフ用メガネを１枚のハガキの大きさの範囲内で郵送できることから、使用者は通常の郵送料で送ることができ、年賀状や暑中見舞い等で好適に使用することができる。また、受取者にとっては、アナグリフ用メガネが送られることによって、例えば、デジタルカメラやインターネット等で容易に編集できるアナグリフ写真を作成して、新たな楽しみを加えることができる。
【００４７】
また、１枚のハガキの大きさでアナグリフ用メガネを組み込むことによって、ハガキの製作費を高くすることなく廉価に製作できる。そのため、使用者にとってはハガキを廉価に購入することができる。
【００４８】
なお、本考案のポストカードは上述の形態に限定するものではない。例えば、図９に示すように、覗き窓を一対形成するものでなく、両眼で覗くことができる範囲内で一つの大きな孔に形成した覗き窓４５でもよい。この場合、別色で形成されたアナグリフ用フィルム１５は、両眼で覗ける位置に青色（シアン）のフィルム１５Ｂと赤色のフィルム１５Ｒを貼付する。
【００４９】
また、覗き窓及びフィルムを紙面の幅方向の中心位置に対して一方にずらして形成すれば、他方の端部の空白部を広くすることができ、空白部を手持ち部として形成することができる。
【００５０】
さらに、いずれの形態の場合でも、覗き窓の形状やフィルムの形状は上述以外の形態でもよく、鼻係止用孔を形成してもしなくてもよい。
【００５１】
また、別の形態によるハガキは、覗き窓をミシン目あるいは切り取り線で形成した状態のものであってもよい。この場合、図１１〜１２に示すように、ハガキ６０は、裏面側６１の下部に配置されているアナグリフ用メガネ部６２と上部に配置されている空白部６３との間を分割するミシン目６４が形成されている。アナグリフ用メガネ部６２には、両眼で覗くことができる１対の覗き窓６２１を象ったミシン目が形成されている。
【００５２】
覗き窓６２１の形状は、実施形態では、第１の形態の覗き窓１２と同様に形成しているが、図２に示すような各種の形状であってもよい。１対の覗き窓６２１には、１対のフィルム６５が貼付されている。右側の覗き窓６２１Ｒには青色（シアン）のフィルム６５Ｂが貼付され、左側の覗き窓６２１Ｌには赤色のフィルム６５Ｒが貼付されている。
【００５３】
また、一対の覗き窓６２１Ｒ、６２１Ｌ間の中央部には、ハガキ６０の端面から鼻掛止用孔６２２を象ったミシン目が１箇所に形成されている。
【００５４】
なお、この形態においては、覗き窓６２１及び鼻係止用孔６２２を象ったミシン目の代わりに、実線や破線等で記載した切り取り線であってもよい。切り取り線の場合は、鋏によって切り取ることになる。
【００５５】
また覗き窓６２１は、離隔した位置にある１対の覗き窓ではなく、図９に示すような、両眼で覗くことができる１個の大きな孔となるように形成してもよい。さらに、フィルム６５を覗き窓６２１に相当する位置ではなく、ハガキ６０の別の場所に仮付けで貼付しておいてもよい。
【００５６】
つまりこの形態においては、図１１に示すように、通常のハガキ６０の裏面に覗き窓６２１と鼻係止用孔６２２を象ったミシン目が形成されているものであり、図１２に示すように、覗き窓６２１の位置にアナグリフ用フィルム６５が仮付けで貼付されたものである。そのため、ハガキを購入する段階では、孔があけられておらず、使用者が宛先人に送った後、宛先人の方でフィルム６５を一旦剥がした後、覗き窓６２１や鼻係止用孔６２２をあけて使用することとなる。この場合、仮付けされたフィルムを剥がす際に、覗き窓６２１の部位が同時に剥れる程度に形成されたミシン目であってもよい。
【００５７】
また、覗き窓における右目用、あるいは左目用を示すために、覗き窓(又はフィルム)の付近に、文字や図形を表示することもできる。
【００５８】
このポストカードは、ハガキ以外にダイレクトメール等、１枚で形成された郵送物に適用できるものである。
【図面の簡単な説明】
【００５９】
【図１】本考案の第１の形態によるハガキを示す正面図である。
【図２】覗き窓及びフィルムの各種の形態を示す正面図である。
【図３】ハガキに貼付可能なアナグリフ用メガネを示す正面図である。
【図４】同側面図である。
【図５】図２のアナグリフ用メガネを貼付した第２の形態のハガキを示す正面図である。
【図６】折り返し可能なアナグリフ用メガネを形成した第３の形態のハガキを示す正面図である。
【図７】同側面図である。
【図８】アナグリフ用メガネをハガキ部と保護シート部間に封入した第４の形態のハガキを示す分解正面図である。
【図９】両眼で覗くことができる覗き窓を、大きな孔１個で形成した形態を示す正面図である。
【図１０】アナグリフ用メガネを装着した従来のクリアファイルを示す正面図である。
【図１１】覗き窓や鼻掛止用孔がミシン目で形成されたハガキの形態を示す正面図である。
【図１２】図１１においてアナグリフ用フィルムを覗き窓に貼付した状態を示す正面図である。
【符号の説明】
【００６０】
１０、２０、３０、４０、６０、ハガキ
１２、メガネ部
１２１、覗き窓
１２１ａ、小孔
１２２、鼻掛止用孔
１４、ミシン目
１５Ｂ、青色のフィルム
１５Ｒ、赤色のフィルム
２２、メガネ部
２３、台紙
２３１、覗き窓
２３２、鼻掛止用孔
２４Ｂ、青色のフィルム
２４Ｒ、赤色のフィルム
３１、４１、ハガキ部
３２、メガネ部
３２１、覗き窓
３２２、鼻掛止用孔
３３、折り返し線
３４Ｂ、青色のフィルム
３４Ｒ、赤色のフィルム
４２、保護シート部
６２、メガネ部
６２１、覗き窓
６５Ｂ、青色のフィルム
６５Ｒ、赤色のフィルム
【図１】
0003140525.tif 000003
【図２】
0003140525.tif 000004
【図３】
0003140525.tif 000005
【図４】
0003140525.tif 000006
【図５】
0003140525.tif 000007
【図６】
0003140525.tif 000008
【図７】
0003140525.tif 000009
【図８】
0003140525.tif 000010
【図９】
0003140525.tif 000011
【図１０】
0003140525.tif 000012
【図１１】
0003140525.tif 000013
【図１２】
0003140525.tif 000014